(57)【要約】【課題】シャワーフックをシャワーバーに対して回転可能とした場合にも、シャワーフックと他の物品との衝突を抑制できるシャワーバー装置を提供する。【解決手段】上下方向に延びた状態で浴室の壁面に取り付けられるシャワーバーと、シャワーヘッドを着脱可能に保持する保持部を有し、上下方向にスライド移動可能かつシャワーバーを軸に左右方向へ回転可能にシャワーバーに取り付けられるシャワーフックと、を備え、シャワーフックは、ロック機構を有し、ロック機構は、シャワーバーに対してシャワーフックを所定の位置に保持する保持状態と、シャワーフックの保持を解除する解除状態と、を有し、シャワーバーは、ロック機構を解除状態とした際に、シャワーフックの回転を所定の範囲内に規制する回転規制部を有することを特徴とするシャワーバー装置である。【選択図】図１
2020139277.tif 000002
【特許請求の範囲】
【請求項１】
上下方向に延びた状態で浴室の壁面に取り付けられるシャワーバーと、
シャワーヘッドを着脱可能に保持する保持部を有し、前記上下方向にスライド移動可能かつ前記シャワーバーを軸に左右方向へ回転可能に前記シャワーバーに取り付けられるシャワーフックと、
を備え、
前記シャワーフックは、ロック機構を有し、
前記ロック機構は、
前記上下方向へのスライド移動及び前記左右方向への回転を抑制し、前記シャワーバーに対して前記シャワーフックを所定の位置に保持する保持状態と、
前記シャワーフックの保持を解除し、前記上下方向へのスライド移動及び前記左右方向への回転を可能にする解除状態と、
を有し、
前記シャワーバーは、前記ロック機構を前記解除状態とした際に、前記シャワーフックの前記シャワーバーを軸とする前記左右方向への回転を所定の範囲内に規制する回転規制部を有することを特徴とするシャワーバー装置。
【請求項２】
前記ロック機構は、前記シャワーバーに押し当てられた第１位置と、前記シャワーバーから離れた第２位置と、に移動する可動部を有し、前記可動部を前記第１位置に移動させることで前記保持状態となり、前記可動部を前記第２位置に移動させることで前記解除状態となり、
前記可動部は、前記第１位置において、前記シャワーバーの背面側に押し当てられるように設けられ、
前記回転規制部は、前記シャワーバーの背面側に設けられ、前記第２位置に移動した前記可動部と係合することによって、前記シャワーフックの前記シャワーバーを軸とする前記左右方向への回転を前記所定の範囲内に規制することを特徴とする請求項１記載のシャワーバー装置。
【請求項３】
前記ロック機構は、前記シャワーバーに押し当てられた第１位置と、前記シャワーバーから離れた第２位置と、に移動する可動部を有し、前記可動部を前記第１位置に移動させることで前記保持状態となり、前記可動部を前記第２位置に移動させることで前記解除状態となり、
前記可動部は、前記第１位置において、前記シャワーバーの前面側に押し当てられるように設けられ、
前記回転規制部は、前記シャワーバーの背面側に設けられ、前記シャワーフックに設けられた被係合部と係合することによって、前記シャワーフックの前記シャワーバーを軸とする前記左右方向への回転を前記所定の範囲内に規制することを特徴とする請求項１記載のシャワーバー装置。
【発明の詳細な説明】
【技術分野】
【０００１】
本発明は、シャワーバー装置に関する。
【背景技術】
【０００２】
浴室において、シャワーヘッドを保持可能なシャワーフックが上下に移動可能に取り付けられたシャワーバーを設置することが知られている。使用者は、シャワーフックをシャワーバーに対して下方に動かした状態に配置することで、浴室に設置された椅子などに着座した状態でシャワーを利用することができる。また、使用者は、シャワーフックをシャワーバーに対して上方に動かした状態に配置することで、立った状態でもシャワーを利用することができる。
【０００３】
このようなシャワーフックにおいては、保持したシャワーヘッドの吐水方向を調整するために、シャワーフックをシャワーバーに対して回転可能にすることが望ましい。しかしながら、シャワーバーの左右方向に、カウンターや水栓などの他の物品が配置されている場合、回転させたシャワーフックが他の物品に衝突してしまう可能性が生じる。
【先行技術文献】
【特許文献】
【０００４】
【特許文献１】実開昭６３−０６１４６８号公報
【発明の概要】
【発明が解決しようとする課題】
【０００５】
本発明は、かかる課題の認識に基づいてなされたものであり、シャワーフックをシャワーバーに対して回転可能とした場合にも、シャワーフックと他の物品との衝突を抑制できるシャワーバー装置を提供することを目的とする。
【課題を解決するための手段】
【０００６】
第１の発明は、上下方向に延びた状態で浴室の壁面に取り付けられるシャワーバーと、シャワーヘッドを着脱可能に保持する保持部を有し、前記上下方向にスライド移動可能かつ前記シャワーバーを軸に左右方向へ回転可能に前記シャワーバーに取り付けられるシャワーフックと、を備え、前記シャワーフックは、ロック機構を有し、前記ロック機構は、前記上下方向へのスライド移動及び前記左右方向への回転を抑制し、前記シャワーバーに対して前記シャワーフックを所定の位置に保持する保持状態と、前記シャワーフックの保持を解除し、前記上下方向へのスライド移動及び前記左右方向への回転を可能にする解除状態と、を有し、前記シャワーバーは、前記ロック機構を前記解除状態とした際に、前記シャワーフックの前記シャワーバーを軸とする前記左右方向への回転を所定の範囲内に規制する回転規制部を有することを特徴とするシャワーバー装置である。
【０００７】
このシャワーバー装置によれば、シャワーバーが、ロック機構を解除状態とした際に、シャワーフックのシャワーバーを軸とする左右方向への回転を所定の範囲内に規制する回転規制部を有することにより、回転させたシャワーフックが他の物品と衝突してしまうことを抑制することができる。
【０００８】
第２の発明は、第１の発明において、前記ロック機構は、前記シャワーバーに押し当てられた第１位置と、前記シャワーバーから離れた第２位置と、に移動する可動部を有し、前記可動部を前記第１位置に移動させることで前記保持状態となり、前記可動部を前記第２位置に移動させることで前記解除状態となり、前記可動部は、前記第１位置において、前記シャワーバーの背面側に押し当てられるように設けられ、前記回転規制部は、前記シャワーバーの背面側に設けられ、前記第２位置に移動した前記可動部と係合することによって、前記シャワーフックの前記シャワーバーを軸とする前記左右方向への回転を前記所定の範囲内に規制することを特徴とするシャワーバー装置である。
【０００９】
このシャワーバー装置によれば、回転規制部をシャワーバーの背面側に設けることにより、回転規制部を使用者などから見え難くすることができる。これにより、シャワーバーの前面側に回転規制部が設けられている構成などと比べて、シャワーバー装置のデザイン性を向上させることができる。また、回転規制部が、第２位置に移動した可動部と係合することによってシャワーフックの回転を規制することにより、シャワーフックの回転の規制にともなう部品点数の増加などを抑制し、シャワーフックの回転の規制を簡単な構成で実現することができる。
【００１０】
第３の発明は、第１の発明において、前記ロック機構は、前記シャワーバーに押し当てられた第１位置と、前記シャワーバーから離れた第２位置と、に移動する可動部を有し、前記可動部を前記第１位置に移動させることで前記保持状態となり、前記可動部を前記第２位置に移動させることで前記解除状態となり、前記可動部は、前記第１位置において、前記シャワーバーの前面側に押し当てられるように設けられ、前記回転規制部は、前記シャワーバーの背面側に設けられ、前記シャワーフックに設けられた被係合部と係合することによって、前記シャワーフックの前記シャワーバーを軸とする前記左右方向への回転を前記所定の範囲内に規制することを特徴とするシャワーバー装置である。
【００１１】
このシャワーバー装置によれば、回転規制部をシャワーバーの背面側に設けることにより、回転規制部を使用者などから見え難くすることができる。これにより、シャワーバーの前面側に回転規制部が設けられている構成などと比べて、シャワーバー装置のデザイン性を向上させることができる。また、可動部が、第１位置において、シャワーバーの前面側に押し当てられるように設けられていることにより、例えば、シャワーバーの背面側に押し当てられるように設けられている場合などと比べて、可動部の第１位置と第２位置とを切り替え易くすることができる。
【００１２】
例えば、可動部の第１位置と第２位置との切り替えの操作を、シャワーバーの背面側で行おうとすると、シャワーバーで隠れた使用者から見え難い位置で切り替えの操作を行わなければならなくなる。このため、可動部の第１位置と第２位置との切り替えの操作は、シャワーバーの前面側で行えるようにすることが望ましい。この際、可動部がシャワーバーの背面側に押し当てられるように設けられていると、例えば、シャワーバーの前面側で行った操作の操作力をシャワーバーの背面側まで伝達しなければならず、可動部の第１位置と第２位置との切り替えの構成が複雑になってしまうことが懸念される。これに対し、第１位置においてシャワーバーの前面側に押し当てられるように可動部を設けることにより、可動部の第１位置と第２位置との切り替えの操作をシャワーバーの前面側で行えるようにした際にも、可動部の第１位置と第２位置との切り替えを簡単な構成で実現することができる。
【発明の効果】
【００１３】
本発明によれば、シャワーフックをシャワーバーに対して回転可能とした場合にも、シャワーフックと他の物品との衝突を抑制できるシャワーバー装置を提供することができる。
【図面の簡単な説明】
【００１４】
【図１】実施形態に係る浴室を模式的に表す斜視図である。
【図２】実施形態に係るシャワーフックを模式的に表す斜視図である。
【図３】図３（ａ）及び図３（ｂ）は、実施形態に係るシャワーフックを模式的に表す断面図である。
【図４】図４（ａ）〜図４（ｄ）は、実施形態に係るシャワーフックを模式的に表す断面図である。
【図５】図５（ａ）〜図５（ｄ）は、実施形態に係るシャワーフックの変形例を模式的に表す断面図である。
【図６】図６（ａ）〜図６（ｄ）は、実施形態に係るシャワーフックの変形例を模式的に表す断面図である。
【図７】図７（ａ）〜図７（ｄ）は、実施形態に係るシャワーフックの変形例を模式的に表す断面図である。
【図８】図８（ａ）及び図８（ｂ）は、実施形態に係るシャワーフックの変形例を模式的に表す断面図である。
【図９】図９（ａ）〜図９（ｄ）は、実施形態に係るシャワーフックの変形例を模式的に表す断面図である。
【図１０】図１０（ａ）〜図１０（ｄ）は、実施形態に係るシャワーフックの変形例を模式的に表す断面図である。
【発明を実施するための形態】
【００１５】
以下、実施形態について図面を参照しつつ説明する。なお、各図面中、同様の構成要素には同一の符号を付して詳細な説明は適宜省略する。  
図１は、実施形態に係る浴室を模式的に表す斜視図である。  
図１に表したように、浴室２は、シャワーバー装置１０と、壁パネル１１と、洗面カウンター１２と、水栓装置１３と、シャワーヘッド１４と、鏡１５と、を備える。なお、図１では、便宜的に図示を省略しているが、浴室２は、例えば、洗い場床、浴槽、及び天井パネルなどをさらに備える。
【００１６】
壁パネル１１は、壁面１１ａを有する。壁パネル１１は、洗い場床の端部から壁面１１ａを略垂直に立ち上げた状態で浴室２に設置される。これにより、壁パネル１１は、浴室２の壁面を形成する。壁面１１ａは、換言すれば、浴室２の壁面である。
【００１７】
また、浴室２は、例えば、複数の壁パネルを有し、複数の壁パネルによって矩形状の空間を形成する。壁パネル１１は、例えば、浴室２の複数の壁パネルのうちの浴槽に隣接して設置される壁パネルである。
【００１８】
シャワーバー装置１０は、シャワーバー２０と、シャワーフック２２と、を備える。シャワーバー２０は、上下方向に延びた状態で壁パネル１１の壁面１１ａに取り付けられる。シャワーフック２２は、シャワーヘッド１４を着脱可能に保持する保持部３０を有し、上下方向にスライド移動可能かつシャワーバー２０を軸に左右方向へ回転可能にシャワーバー２０に取り付けられる。
【００１９】
シャワーバー２０は、シャワーフック２２が下方に向かうにつれ、保持部３０を前方に移動させるように湾曲している。但し、シャワーバー２０の形状は、これに限定されるものではない。シャワーバー２０の形状は、例えば、垂直方向に沿って直線状に延びる形状などでもよい。シャワーバー２０の形状は、シャワーフック２２を上下方向にスライド移動可能かつ左右方向へ回転可能に支持することができる任意の形状でよい。
【００２０】
シャワーバー装置１０は、シャワーフック２２を上下方向にスライド移動可能とすることにより、保持部３０に保持されたシャワーヘッド１４の上下方向の位置を調節可能とする。
【００２１】
従って、シャワーバー装置１０では、例えば、シャワーフック２２の上下方向の位置を調節することにより、使用者の体格などに対応した適切な位置でシャワーヘッド１４から吐出された水を浴びることができる。なお、本願明細書において、「水」には、加温された「お湯」も含むものとする。
【００２２】
また、シャワーバー装置１０は、シャワーフック２２を上下方向にスライド移動可能とすることにより、使用者が立ち上がった状態でも洗い場床に置かれた椅子などに着座した状態でも、シャワーヘッド１４から吐出された水を適切に浴びられるようにする。
【００２３】
さらに、シャワーバー装置１０は、シャワーバー２０を手摺りとしても利用できるようにする。これにより、例えば、椅子などに着座した状態から立ち上がる際に、シャワーバー２０を掴むことにより、立ち上がり易くすることができる。あるいは、浴槽と洗い場床との間の移動の際に、シャワーバー２０を掴むことにより、浴槽と洗い場床との間の移動をし易くすることができる。このように、シャワーバー装置１０では、シャワーバー２０を手摺りとしても利用できるようにすることにより、使用者の立上りや移動などの動作を補助することができる。
【００２４】
シャワーバー２０の下端から洗い場床の床面までの距離Ｄ１は、例えば、８０ｃｍ以下である。これにより、使用者が椅子などに着座した状態でも、シャワーバー２０を掴み易くすることができる。また、シャワーバー２０の下端から洗い場床の床面までの距離Ｄ１は、例えば、６０ｃｍ以上である。これにより、シャワーバー２０の下端が使用者の足などに当たり、邪魔になってしまうことを抑制することができる。
【００２５】
シャワーバー２０の上下方向の長さＬ１は、例えば、９０ｃｍ以上１２０ｃｍ以下である。浴室２の天井までの高さは、概ね２ｍ程度である。従って、長さＬ１を上記のように設定することにより、様々なタイプの浴室２にシャワーバー装置１０を適用させ、適切な高さにシャワーフック２２を配置することができる。
【００２６】
洗面カウンター１２は、壁パネル１１の壁面１１ａに対してシャワーバー装置１０よりも下方に取り付けられる。洗面カウンター１２は、上面１２ａを有する。洗面カウンター１２の上面１２ａは、左右方向及び前後方向に延び、洗面器やシャンプーボトルなどの物品を載置可能とする。
【００２７】
シャワーバー装置１０は、例えば、洗面カウンター１２の左右方向の幅内に配置される。換言すれば、洗面カウンター１２は、シャワーバー装置１０と上下方向において重なる位置に配置される。この場合、シャワーバー装置１０の下端（シャワーバー２０の下端）は、洗面カウンター１２に取り付けてもよい。但し、洗面カウンター１２は、シャワーバー装置１０と左右方向にずれた位置に配置してもよい。洗面カウンター１２は、少なくとも上面１２ａがシャワーバー装置１０の下端よりも下方に配置されていればよい。
【００２８】
水栓装置１３は、壁パネル１１の壁面１１ａに対して洗面カウンター１２の上方に取り付けられる。水栓装置１３は、下方に向けて水を吐出する吐水部１３ａを有する。水栓装置１３は、洗面カウンター１２の左右方向の幅内に配置される。水栓装置１３は、例えば、洗面カウンター１２の上面１２ａに向けて吐水部１３ａから水を吐出する。これにより、洗面カウンター１２の上面１２ａに載置された洗面器などに水を溜めることができる。
【００２９】
シャワーヘッド１４は、ホース１６を介して水栓装置１３と接続されている。シャワーヘッド１４は、例えば、複数の吐水孔が設けられたヘッド本体１４ａと、ヘッド本体１４ａから延びる略棒状の持ち手部１４ｂと、を有する。シャワーヘッド１４は、持ち手部１４ｂのヘッド本体１４ａと反対側の端部においてホース１６と接続される。持ち手部１４ｂは、例えば、ヘッド本体１４ａ側からホース１６側に向かって次第に細くなるテーパ形状を有する。
【００３０】
水栓装置１３は、吐水部１３ａからの吐止水を切り替えるとともに、シャワーヘッド１４からの吐止水を切り替える。また、水栓装置１３は、例えば、吐水部１３ａ又はシャワーヘッド１４から吐水する水の温度の調節機能や、吐水部１３ａ又はシャワーヘッド１４から吐水する水の流量の調節機能などをさらに有する。
【００３１】
水栓装置１３は、左右方向及び前後方向に延び、シャンプーボトルなどの物品を載置可能な棚形状の上面１３ｂを有する。このように、水栓装置１３は、水を吐出する水栓として機能するとともに、物品を載置可能なカウンターとしても機能する。水栓装置１３は、換言すれば、水栓カウンターである。これにより、浴室２の使い勝手を向上させることができる。但し、水栓装置１３は、必ずしも棚形状を有するものでなくてもよい。水栓装置１３は、少なくとも吐水部１３ａ及びシャワーヘッド１４からの吐止水を切り替える機能を有する任意の水栓装置でよい。
【００３２】
シャワーバー装置１０は、例えば、左右方向において、水栓装置１３と浴槽との間に設けられる。これにより、浴槽と洗い場床との間の移動の際に、シャワーバー２０を手摺りとして利用し易くすることができる。
【００３３】
鏡１５は、壁パネル１１の壁面１１ａに対して水栓装置１３の上方に取り付けられる。また、鏡１５は、例えば、上下方向に延び、左右方向においてシャワーバー装置１０と並べて壁面１１ａに取り付けられる。これにより、鏡１５は、水栓装置１３の前に着座した状態でも、シャワーヘッド１４から吐出された水を立って浴びる状態でも、使用者が自身の姿を確認できるようにする。なお、鏡１５は、必要に応じて浴室２に設けられ、省略可能である。
【００３４】
図２は、実施形態に係るシャワーフックを模式的に表す斜視図である。  
図３（ａ）及び図３（ｂ）は、実施形態に係るシャワーフックを模式的に表す断面図である。  
図２、図３（ａ）及び図３（ｂ）に表したように、シャワーバー装置１０のシャワーフック２２は、シャワーヘッド１４を着脱可能に保持する保持部３０を有するとともに、フック本体３２と、取付部３４と、ロック機構３６と、をさらに有する。
【００３５】
フック本体３２は、水平方向に延びる。換言すれば、フック本体３２は、シャワーバー２０の延びる方向と直交する方向に延びる。なお、フック本体３２の延びる方向は、厳密に水平な方向に限定されるものではない。フック本体３２の延びる方向は、少なくとも水平方向に延びる成分を有していればよい。
【００３６】
保持部３０は、フック本体３２の一端側に設けられている。保持部３０は、例えば、シャワーヘッド１４の持ち手部１４ｂの形状に応じた凹部３０ａを有する略Ｕ字状の部材である。保持部３０は、シャワーヘッド１４のテーパ形状を有する持ち手部１４ｂを上方から凹部３０ａに差し込み、持ち手部１４ｂを凹部３０ａに係合させることにより、シャワーヘッド１４を着脱可能に保持する。
【００３７】
フック本体３２は、保持部３０を水平方向を軸に回転可能に支持する。また、フック本体３２は、保持部３０を所定の回転角度で保持するためのラッチ機構３８を有する。これにより、水平方向を軸とするシャワーヘッド１４の角度を調整することができる。例えば、シャワーヘッド１４から水を下側に向けて吐出したり、少し前方側に向けて吐出したりすることを、調整することができる。
【００３８】
ラッチ機構３８は、例えば、プランジャ３８ａと、コイルバネ３８ｂと、を有する。プランジャ３８ａは、フック本体３２の内部において前後方向に移動可能に設けられる。コイルバネ３８ｂは、プランジャ３８ａを前方側に付勢する。
【００３９】
保持部３０は、回転角度を調整するための複数の溝部３０ｂを背面側に有する。プランジャ３８ａは、保持部３０とコイルバネ３８ｂとの間に設けられ、コイルバネ３８ｂの付勢力によって保持部３０に押し付けられることにより、保持部３０の背面側に設けられた複数の溝部３０ｂのいずれかと係合する。
【００４０】
このように、溝部３０ｂとプランジャ３８ａとの係合によって、保持部３０の回転角度が保持される。そして、保持部３０に力を加え、コイルバネ３８ｂの付勢力に抗して保持部３０を回転させ、プランジャ３８ａを別の溝部３０ｂと係合させることにより、保持部３０の回転角度を調整することができる。換言すれば、シャワーヘッド１４の吐水角度を調整することができる。
【００４１】
なお、ラッチ機構３８の構成は、上記の構成に限定されるものではない。ラッチ機構３８の構成は、保持部３０を所定の回転角度で保持可能な任意の構成でよい。また、フック本体３２は、必ずしも保持部３０を回転可能に支持しなくてもよい。換言すれば、シャワーフック２２は、必ずしもシャワーヘッド１４の吐水角度の調整機能を有しなくてもよい。保持部３０は、フック本体３２に一体的に設けてもよい。保持部３０は、例えば、フック本体３２の一端側に一体的に設けられた凹部でもよい。
【００４２】
取付部３４は、シャワーバー２０への取り付けに用いられる。シャワーフック２２は、取付部３４を介してシャワーバー２０に取り付けられる。取付部３４は、例えば、フック本体３２の他端側（保持部３０と反対側）に設けられる。取付部３４は、例えば、シャワーバー２０の断面形状に対応した貫通孔状である。シャワーフック２２は、取付部３４にシャワーバー２０を挿通することによって、シャワーバー２０に取り付けられる。
【００４３】
取付部３４は、例えば、シャワーバー２０の断面形状に対応した断面略円形の貫通孔状である。これにより、シャワーフック２２は、上下方向にスライド移動可能、かつシャワーバー２０を軸に左右方向へ回転可能にシャワーバー２０に取り付けられる。シャワーバー装置１０では、シャワーヘッド１４から吐出される水を前方のみに限ることなく、シャワーフック２２を左右方向へ回転させることで、斜め右方向や斜め左方向などにも吐出することができる。従って、シャワーバー装置１０の使い勝手をより向上させることができる。
【００４４】
取付部３４の形状は、貫通孔状に限ることなく、例えば、溝状などでもよい。取付部３４の形状は、上下方向にスライド移動可能かつシャワーバー２０を軸に左右方向へ回転可能にシャワーフック２２をシャワーバー２０に取り付けることができる任意の形状でよい。
【００４５】
ロック機構３６は、保持状態と、解除状態と、を有する。保持状態は、上下方向へのスライド移動及び左右方向への回転を抑制し、シャワーバー２０に対してシャワーフック２２を所定の位置に保持する状態である。解除状態は、シャワーフック２２の保持を解除し、上下方向へのスライド移動及び左右方向への回転を可能にする状態である。
【００４６】
シャワーバー装置１０では、ロック機構３６を解除状態にすることによって、シャワーフック２２に保持されたシャワーヘッド１４の上下方向の位置及び左右方向の吐水角度を調節することができる。そして、シャワーバー装置１０では、ロック機構３６を保持状態にすることによって、シャワーフック２２に保持されたシャワーヘッド１４を調節した位置に保持することができる。
【００４７】
ロック機構３６は、例えば、フック本体３２の内部に設けられる。ロック機構３６は、例えば、可動部４０と、コイルバネ４２と、を有する。可動部４０は、第１位置と、第２位置と、に移動する。第１位置は、図３（ａ）に表したように、シャワーバー２０に押し当てられた位置である。第２位置は、図３（ｂ）に表したように、シャワーバー２０から離れた位置である。可動部４０は、例えば、フック本体３２の内部に設けられ、フック本体３２にスライド移動可能に支持されることにより、第１位置と第２位置とに移動する。
【００４８】
可動部４０が第１位置にある状態では、可動部４０の押し当てによる可動部４０とシャワーバー２０との摩擦力により、シャワーフック２２の上下方向へのスライド移動及び左右方向への回転が抑制される。すなわち、ロック機構３６は、可動部４０を第１位置に移動させることで保持状態となり、可動部４０を第２位置に移動させることで解除状態となる。
【００４９】
可動部４０は、第１位置において、シャワーバー２０の前面側に押し当てられるように設けられている。シャワーバー２０の前面側とは、例えば、シャワーバー２０を前方から見た際に視認できる面である。可動部４０は、例えば、フック本体３２内に上下方向に移動可能に支持される。第１位置は、例えば、上方側の位置であり、第２位置は、例えば、第１位置よりも下方に押し込まれた位置である。
【００５０】
コイルバネ４２は、可動部４０を上方側に付勢する。換言すれば、コイルバネ４２は、可動部４０を第１位置側に付勢する。可動部４０は、コイルバネ４２に付勢され、フック本体３２と係合することにより、第１位置に保持される。
【００５１】
可動部４０は、操作部４０ａを有する。操作部４０ａは、可動部４０が第１位置に保持された状態において、フック本体３２から上方に突出する。操作部４０ａは、フック本体３２の上面側において、保持部３０と取付部３４との間に設けられる。このため、操作部４０ａは、シャワーフック２２をシャワーバー２０に取り付けた状態において、シャワーバー２０の前面側に配置される。換言すれば、操作部４０ａは、シャワーフック２２をシャワーバー２０に取り付けた状態において、シャワーバー２０よりも前方に配置される。
【００５２】
可動部４０は、操作部４０ａを押圧し、コイルバネ４２の付勢力に抗して下方に押し込むことにより、第１位置から第２位置に移動する。この例では、操作部４０ａが、可動部４０と一体に設けられている。操作部４０ａは、例えば、可動部４０と別体に設け、連結部材などを介して可動部４０と連結することにより、可動部４０を移動させる構成としてもよい。
【００５３】
可動部４０は、第１位置にある状態において、取付部３４内に入り込むことにより、取付部３４に挿通されたシャワーバー２０に押し当てられる。可動部４０は、コイルバネ４２の付勢力によってシャワーバー２０に押し当てられ、取付部３４とともにシャワーバー２０を挟む。これにより、可動部４０が第１位置にある状態では、シャワーバー２０への押し当てにともなう摩擦力により、シャワーフック２２が、シャワーバー２０に対して保持される。すなわち、可動部４０が第１位置にある状態において、ロック機構３６が保持状態となる。
【００５４】
可動部４０は、例えば、弾性体４４を有する。弾性体４４には、例えば、ゴムなどが用いられる。弾性体４４の摩擦係数は、プラスチックなどの硬質な樹脂材料からなる可動部４０の本体部分の摩擦係数よりも大きい。可動部４０は、第１位置にある状態において、弾性体４４を取付部３４内に入り込ませることにより、弾性体４４をシャワーバー２０に押し当てる。これにより、可動部４０とシャワーバー２０との間に生じる摩擦力を大きくし、シャワーフック２２をシャワーバー２０に対して、より確実に保持することができる。
【００５５】
可動部４０は、第１位置から第２位置に移動すると、下方に移動するとともに、取付部３４から離れる方向に移動する。可動部４０は、例えば、第１位置から第２位置に移動すると、下方に移動するとともに、前方に移動する。可動部４０は、例えば、取付部３４の軸方向に対して斜めにスライド移動することにより、取付部３４から離れる方向に移動する。
【００５６】
可動部４０は、第１位置から第２位置に移動すると、シャワーバー２０から離れる。可動部４０は、第１位置から第２位置に移動すると、弾性体４４をシャワーバー２０から離す。これにより、可動部４０は、第１位置から第２位置に移動すると、取付部３４とともにシャワーバー２０を挟んだ状態を解除する。従って、可動部４０を第２位置に移動させた状態では、シャワーフック２２の上下方向のスライド移動及び左右方向への回転が可能となる。すなわち、可動部４０が第２位置にある状態において、ロック機構３６が解除状態となる。
【００５７】
このように、シャワーフック２２では、フック本体３２を把持し、操作部４０ａを押圧して可動部４０を第２位置に移動させることにより、シャワーフック２２の上下方向の位置及び左右方向の回転角度を調整することができる。そして、操作部４０ａの押圧を解除し、可動部４０を第１位置に移動させることにより、シャワーフック２２を調整した位置で保持することができる。これにより、シャワーフック２２では、シャワーバー２０に対して上下方向の任意の位置、及び左右方向の任意の回転角度に配置することができる。従って、シャワーバー装置１０では、使用者の好みの高さ及び吐水角度にシャワーヘッド１４を配置することができる。
【００５８】
図４（ａ）〜図４（ｄ）は、実施形態に係るシャワーフックを模式的に表す断面図である。  
図４（ａ）は、可動部４０が、第１位置にある状態を模式的に表している。図４（ｂ）〜図４（ｄ）は、可動部４０が、第２位置にある状態を模式的に表している。
【００５９】
図４（ａ）〜図４（ｄ）に表したように、シャワーバー２０は、回転規制部５０を有する。回転規制部５０は、ロック機構３６を解除状態とした際に、シャワーフック２２のシャワーバー２０を軸とする左右方向への回転を所定の範囲内に規制する。
【００６０】
回転規制部５０は、例えば、シャワーバー２０の前面側に設けられた凹部である。回転規制部５０は、換言すれば、断面略円形の棒状のシャワーバー２０の径を小さくした部分である。回転規制部５０は、シャワーフック２２の上下方向の各位置において回転を規制するため、上下方向に延びて設けられる。回転規制部５０は、換言すれば、上下方向に延びる溝状である。
【００６１】
回転規制部５０は、図４（ｃ）及び図４（ｄ）に表したように、例えば、第２位置に移動した可動部４０（弾性体４４）と係合することによって、シャワーフック２２のシャワーバー２０を軸とする左右方向への回転を所定の範囲内に規制する。
【００６２】
以上、説明したように、本実施形態に係るシャワーバー装置１０では、シャワーバー２０が、ロック機構３６を解除状態とした際に、シャワーフック２２のシャワーバー２０を軸とする左右方向への回転を所定の範囲内に規制する回転規制部５０を有することにより、回転させたシャワーフック２２が他の物品と衝突してしまうことを抑制することができる。
【００６３】
図５（ａ）〜図５（ｄ）は、実施形態に係るシャワーフックの変形例を模式的に表す断面図である。  
なお、上記実施形態と機能・構成上実質的に同じものについては、同符号を付し、詳細な説明は省略する。
【００６４】
図４（ａ）〜図４（ｄ）と同様に、図５（ａ）は、可動部４０が、第１位置にある状態を模式的に表している。図５（ｂ）〜図５（ｄ）は、可動部４０が、第２位置にある状態を模式的に表している。
【００６５】
図５（ａ）〜図５（ｄ）に表したように、この例では、回転規制部５０が、シャワーバー２０の前面側に設けられた凸部である。この例において、回転規制部５０は、前方に向かって突出するとともに、上下方向に延びる凸部である。
【００６６】
図５（ａ）に表したように、可動部４０は、第１位置にある状態において、弾性体４４をシャワーバー２０の回転規制部５０に押し当てることにより、シャワーバー２０に対してシャワーフック２２を所定の位置に保持する。
【００６７】
可動部４０は、一対の被係合部６１、６２を有する。被係合部６１、６２は、後方側に向かって延びる凸状である。換言すれば、被係合部６１、６２は、シャワーバー２０側に向かって延びる凸状である。被係合部６１、６２は、可動部４０が第２位置にある状態において、回転規制部５０を挟むように配置される。換言すれば、可動部４０は、第２位置にある状態において回転規制部５０が入り込むように設けられた凹状の被係合部を形成する。
【００６８】
回転規制部５０は、図５（ｃ）に表したように、第２位置に移動した可動部４０の被係合部６１と係合することによって、シャワーフック２２のシャワーバー２０を軸とする左方向への回転を規制する。そして、回転規制部５０は、図５（ｄ）に表したように、第２位置に移動した可動部４０の被係合部６２と係合することによって、シャワーフック２２のシャワーバー２０を軸とする右方向への回転を規制する。これにより、回転規制部５０は、シャワーフック２２のシャワーバー２０を軸とする左右方向への回転を所定の範囲内に規制する。
【００６９】
このように、シャワーバー２０に設けられる回転規制部５０の形状は、凹状に限ることなく、凸状としてもよい。回転規制部５０の形状は、シャワーフック２２のシャワーバー２０を軸とする左右方向への回転を所定の範囲内に規制することができる任意の形状でよい。
【００７０】
凸状の回転規制部５０は、例えば、シャワーバー２０に一体に形成される。凸状の回転規制部５０は、例えば、シャワーバー２０と別体に形成し、シャワーバー２０に取り付ける構成としてもよい。この場合、例えば、凹状の回転規制部５０をシャワーバー２０に設ける場合と比べて、回転規制部５０を有するシャワーバー２０を製造し易くすることができる。例えば、凹状の回転規制部５０をシャワーバー２０に設ける場合と比べて、回転規制部５０を有するシャワーバー２０の製造コストを抑えることができる。凸状の回転規制部５０をシャワーバー２０の本体部分に取り付ける方法は、接着、溶着、係合、ネジ止め、あるいは嵌め込みなど、凸状の回転規制部５０を取付可能な任意の方法でよい。
【００７１】
図６（ａ）〜図６（ｄ）は、実施形態に係るシャワーフックの変形例を模式的に表す断面図である。  
図４及び図５と同様に、図６（ａ）は、可動部４０が、第１位置にある状態を模式的に表している。図６（ｂ）〜図６（ｄ）は、可動部４０が、第２位置にある状態を模式的に表している。
【００７２】
図６（ａ）〜図６（ｄ）に表したように、この例では、回転規制部５０が、シャワーバー２０の背面側に設けられた凹部である。シャワーバー２０の背面側とは、例えば、シャワーバー２０を後方から見た際に視認できる面である。
【００７３】
シャワーフック２２は、被係合部６４を有する。被係合部６４は、取付部３４の内側面から中心方向に向かって突出した凸状である。被係合部６４は、取付部３４の後方側の面から前方に向かって延び、シャワーバー２０の背面側に設けられた凹状の回転規制部５０内に侵入する。
【００７４】
回転規制部５０は、図６（ｃ）及び図６（ｄ）に表したように、シャワーフック２２に設けられた被係合部６４と係合することによって、シャワーフック２２のシャワーバー２０を軸とする左右方向への回転を所定の範囲内に規制する。
【００７５】
この例では、回転規制部５０をシャワーバー２０の背面側に設けることにより、回転規制部５０を使用者などから見え難くすることができる。これにより、シャワーバー２０の前面側に回転規制部５０が設けられている構成などと比べて、シャワーバー装置１０のデザイン性を向上させることができる。また、可動部４０が、第１位置において、シャワーバー２０の前面側に押し当てられるように設けられていることにより、例えば、シャワーバー２０の背面側に押し当てられるように設けられている場合などと比べて、可動部４０の第１位置と第２位置とを切り替え易くすることができる。
【００７６】
例えば、可動部４０の第１位置と第２位置との切り替えの操作を、シャワーバー２０の背面側で行おうとすると、シャワーバー２０で隠れた使用者から見え難い位置で切り替えの操作を行わなければならなくなる。例えば、操作部４０ａをシャワーバー２０の背面側に設けてしまうと、シャワーバー２０が邪魔になり、操作部４０ａを押圧し難くなってしまうことが懸念される。
【００７７】
このため、可動部４０の第１位置と第２位置との切り替えの操作は、シャワーバー２０の前面側で行えるようにすることが望ましい。例えば、操作部４０ａは、シャワーバー２０の前面側に設けることが望ましい。
【００７８】
この際、可動部４０がシャワーバー２０の背面側に押し当てられるように設けられていると、例えば、シャワーバー２０の前面側で行った操作の操作力をシャワーバー２０の背面側まで伝達しなければならず、可動部４０の第１位置と第２位置との切り替えの構成が複雑になってしまうことが懸念される。これに対し、第１位置においてシャワーバー２０の前面側に押し当てられるように可動部４０を設けることにより、可動部４０の第１位置と第２位置との切り替えの操作をシャワーバー２０の前面側で行えるようにした際にも、可動部４０の第１位置と第２位置との切り替えを簡単な構成で実現することができる。
【００７９】
図７（ａ）〜図７（ｄ）は、実施形態に係るシャワーフックの変形例を模式的に表す断面図である。  
図４〜図６と同様に、図７（ａ）は、可動部４０が、第１位置にある状態を模式的に表している。図７（ｂ）〜図７（ｄ）は、可動部４０が、第２位置にある状態を模式的に表している。
【００８０】
図７（ａ）〜図７（ｄ）に表したように、この例では、回転規制部５０が、シャワーバー２０の背面側に設けられた凸部である。そして、シャワーフック２２に設けられた被係合部６４が、取付部３４の内側面から凹んだ凹状である。
【００８１】
図７（ｃ）及び図７（ｄ）に表したように、この例においても、回転規制部５０は、シャワーフック２２に設けられた被係合部６４と係合することによって、シャワーフック２２のシャワーバー２０を軸とする左右方向への回転を所定の範囲内に規制する。
【００８２】
このように、回転規制部５０をシャワーバー２０の背面側に設ける場合であっても、回転規制部５０を凸状とし、被係合部６４を凹状としてもよい。
【００８３】
図８（ａ）及び図８（ｂ）は、実施形態に係るシャワーフックの変形例を模式的に表す断面図である。  
図８（ａ）及び図８（ｂ）に表したように、この例では、可動部４０が、第１位置において、シャワーバー２０の背面側に押し当てられるように設けられている。この例においても、可動部４０は、例えば、フック本体３２内に上下方向に移動可能に支持される。第１位置は、例えば、上方側の位置であり、第２位置は、例えば、第１位置よりも下方に押し込まれた位置である。
【００８４】
可動部４０は、例えば、本体部４０ｂと、延在部４０ｃと、を有する。本体部４０ｂは、シャワーフック２２をシャワーバー２０に取り付けた状態において、シャワーバー２０の前面側に配置される。
【００８５】
操作部４０ａは、本体部４０ｂに設けられている。これにより、シャワーバー２０の背面側に可動部４０を押し当てるようにした場合にも、操作部４０ａをシャワーバー２０の前面側に配置することができる。
【００８６】
延在部４０ｃは、本体部４０ｂから後方に向かって延びる。延在部４０ｃは、シャワーフック２２をシャワーバー２０に取り付けた状態において、少なくとも一部をシャワーバー２０の背面側に配置する。
【００８７】
延在部４０ｃは、例えば、シャワーバー２０を取り囲むように形成された断面略Ｕ字状の部材である。シャワーバー２０を取付部３４に挿通すると、シャワーバー２０が延在部４０ｃにも挿通される。これにより、延在部４０ｃの少なくとも一部をシャワーバー２０の背面側に配置することができる。
【００８８】
コイルバネ４２は、可動部４０を上方側に付勢する。換言すれば、コイルバネ４２は、可動部４０を第１位置側に付勢する。可動部４０は、コイルバネ４２に付勢され、フック本体３２と係合することにより、第１位置に保持される。
【００８９】
可動部４０は、操作部４０ａを押圧し、コイルバネ４２の付勢力に抗して下方に押し込むことにより、第１位置から第２位置に移動する。この例では、操作部４０ａが、可動部４０の本体部４０ｂと一体に設けられている。操作部４０ａは、例えば、本体部４０ｂと別体に設け、連結部材などを介して本体部４０ｂと連結することにより、可動部４０を移動させる構成としてもよい。
【００９０】
可動部４０は、第１位置にある状態において、延在部４０ｃの少なくとも一部を取付部３４内に入り込ませることにより、延在部４０ｃを取付部３４に挿通されたシャワーバー２０に押し当てる。可動部４０は、コイルバネ４２の付勢力によって延在部４０ｃをシャワーバー２０に押し当て、取付部３４とともにシャワーバー２０を挟む。これにより、可動部４０が第１位置にある状態では、シャワーバー２０への押し当てにともなう摩擦力により、シャワーフック２２が、シャワーバー２０に対して保持される。すなわち、可動部４０が第１位置にある状態において、ロック機構３６が保持状態となる。
【００９１】
延在部４０ｃには、弾性体４４が設けられている。可動部４０は、第１位置にある状態において、弾性体４４を取付部３４内に入り込ませることにより、弾性体４４をシャワーバー２０に押し当てる。これにより、可動部４０とシャワーバー２０との間に生じる摩擦力を大きくし、シャワーフック２２をシャワーバー２０に対して、より確実に保持することができる。
【００９２】
可動部４０は、第１位置から第２位置に移動すると、下方に移動するとともに、延在部４０ｃを取付部３４から離す方向に移動する。可動部４０は、例えば、第１位置から第２位置に移動すると、下方に移動するとともに、後方に移動する。可動部４０は、例えば、取付部３４の軸方向に対して斜めにスライド移動することにより、延在部４０ｃを取付部３４から離す方向に移動する。
【００９３】
可動部４０は、第１位置から第２位置に移動すると、延在部４０ｃをシャワーバー２０から離す。可動部４０は、第１位置から第２位置に移動すると、弾性体４４をシャワーバー２０から離す。これにより、可動部４０は、第１位置から第２位置に移動すると、取付部３４とともにシャワーバー２０を挟んだ状態を解除する。従って、可動部４０を第２位置に移動させた状態では、シャワーフック２２の上下方向のスライド移動及び左右方向への回転が可能となる。すなわち、可動部４０が第２位置にある状態において、ロック機構３６が解除状態となる。
【００９４】
図９（ａ）〜図９（ｄ）は、実施形態に係るシャワーフックの変形例を模式的に表す断面図である。  
図４〜図７と同様に、図９（ａ）は、可動部４０が、第１位置にある状態を模式的に表している。図９（ｂ）〜図９（ｄ）は、可動部４０が、第２位置にある状態を模式的に表している。
【００９５】
図９（ａ）〜図９（ｄ）に表したように、シャワーバー２０は、回転規制部５０を有する。回転規制部５０は、ロック機構３６を解除状態とした際に、シャワーフック２２のシャワーバー２０を軸とする左右方向への回転を所定の範囲内に規制する。
【００９６】
回転規制部５０は、シャワーバー２０の背面側に設けられた凹部である。回転規制部５０は、図９（ｃ）及び図９（ｄ）に表したように、第２位置に移動した可動部４０の延在部４０ｃ（弾性体４４）と係合することによって、シャワーフック２２のシャワーバー２０を軸とする左右方向への回転を所定の範囲内に規制する。
【００９７】
このように、可動部４０は、第１位置において、シャワーバー２０の背面側に押し当てられるように設けてもよい。この例においても、回転規制部５０をシャワーバー２０の背面側に設けることにより、回転規制部５０を使用者などから見え難くすることができる。これにより、シャワーバー２０の前面側に回転規制部５０が設けられている構成などと比べて、シャワーバー装置１０のデザイン性を向上させることができる。また、回転規制部５０が、第２位置に移動した可動部４０と係合することによってシャワーフック２２の回転を規制することにより、シャワーフック２２の回転の規制にともなう部品点数の増加などを抑制し、シャワーフック２２の回転の規制を簡単な構成で実現することができる。
【００９８】
なお、この例では、可動部４０の本体部４０ｂをシャワーバー２０の前面側に配置している。可動部４０をシャワーバー２０の背面側に押し当てる場合には、これに限ることなく、可動部４０の全体をシャワーバー２０の背面側に配置してもよい。但し、上記のように、可動部４０の一部をシャワーバー２０の前面側に配置し、操作部４０ａをシャワーバー２０の前面側に設ける。これにより、可動部４０をシャワーバー２０の背面側に押し当てる場合にも、可動部４０を第１位置と第２位置とに切り替える際の操作性を向上させることができる。
【００９９】
図１０（ａ）〜図１０（ｄ）は、実施形態に係るシャワーフックの変形例を模式的に表す断面図である。  
図９と同様に、図１０（ａ）は、可動部４０が、第１位置にある状態を模式的に表している。図１０（ｂ）〜図１０（ｄ）は、可動部４０が、第２位置にある状態を模式的に表している。
【０１００】
図１０（ａ）〜図１０（ｄ）に表したように、この例では、回転規制部５０が、シャワーバー２０の背面側に設けられた凸部である。可動部４０は、凸状の回転規制部５０と係合する凹状の被係合部４０ｄを延在部４０ｃに有する。
【０１０１】
図１０（ｃ）及び図１０（ｄ）に表したように、この例においても、回転規制部５０は、可動部４０に設けられた被係合部４０ｄと係合することによって、シャワーフック２２のシャワーバー２０を軸とする左右方向への回転を所定の範囲内に規制する。
【０１０２】
このように、回転規制部５０をシャワーバー２０の背面側に設け、可動部４０をシャワーバー２０の背面側に押し当てる場合であっても、回転規制部５０を凸状としてもよい。
【０１０３】
このように、ロック機構３６の構成は、上下方向へのスライド移動及び左右方向への回転を抑制し、シャワーバー２０に対してシャワーフック２２を所定の位置に保持可能な任意の構成でよい。回転規制部５０の構成は、ロック機構３６を解除状態とした際に、シャワーフック２２のシャワーバー２０を軸とする左右方向への回転を所定の範囲内に規制可能な任意の構成でよい。
【０１０４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１０５】
２ 浴室、  １０ シャワーバー装置、  １１ 壁パネル、  １１ａ 壁面、  １２ 洗面カウンター、  １３ 水栓装置、  １４ シャワーヘッド、  １５ 鏡、  １６ ホース、  ２０ シャワーバー、  ２２ シャワーフック、  ３０ 保持部、  ３２ フック本体、  ３４ 取付部、  ３６ ロック機構、  ３８ ラッチ機構、  ４０ 可動部、  ４２ コイルバネ、  ４４ 弾性体、  ５０ 回転規制部、  ６１ 被係合部、  ６２ 被係合部、  ６４ 被係合部
【図１】
2020139277.tif 000003
【図２】
2020139277.tif 000004
【図３】
2020139277.tif 000005
【図４】
2020139277.tif 000006
【図５】
2020139277.tif 000007
【図６】
2020139277.tif 000008
【図７】
2020139277.tif 000009
【図８】
2020139277.tif 000010
【図９】
2020139277.tif 000011
【図１０】
2020139277.tif 000012